(57)【要約】【課題】一対の回転体の回転軸に偏心した位置に、一対の可動プラグ端子を貫設し該回転体の回動により可動プラグ端子間の距離が変化することを利用して、諸々の海外コンセントへの使用を可能にする。【解決手段】本発明は，可動プラグａ本体２の上部に一対の回転体５の回転軸４に偏心した位置に、一対の可動プラグ端子３を貫設固定して、該回転体５の回動によりプラグ端子間距離を伸縮し、可動プラグａ１に接続、結合した斜刃プラグ２０に付設したシャッターピンを用いる事により殆ど全ての海外コンセントに接続可能となり、日本製電気製品の使用を可能とする。また、丸棒型プラグ端子４２と斜刃プラグ端子４３を同一棒状の一体プラグ端子４１に一体化し、プラグ本体にシャッターピンを付設することにより前記斜刃プラグ２０を一体化して、操作が簡単、確実で、簡素な海外コンセント用変換プラグを提供する。【選択図】図１
2008198498.tif 000002
【特許請求の範囲】
【請求項１】
絶縁体からなるプラグ本体であって、該プラグ本体上部に回転軸に軸支した歯合、もしくは緊合する一対の同一直径の回転体で、該回転体の両回転軸心を結んだ水平線上で、該各回転軸に対して左右対称で同一距離に偏心した位置に導電体である一対の可動プラグ端子を貫設、固定し、回転ツマミを付設する回転体の回動により一対の該可動プラグ端子がその偏心位置により端子間距離を伸縮することを特徴とする海外コンセント用変換プラグ。
【請求項２】
一対の回転体間の中間位置にスプリング固定軸を設けスプリングの一端を固定、該スプリングの中央コイル部を一対の回転軸に巻設し、他端を貫設した一対の可動プラグ端子の円周片側に当着して設けて、該回転体の回動により一対の可動プラグ端子間に付勢力を生じることを特徴とする請求項１に記載の海外コンセント用変換プラグ。
【請求項３】
電気端子をハの字状に配列した斜刃プラグ（オセアニアタイプ）の一対の斜刃プラグ端子の中心線上と該斜刃プラグ本体の外壁との交点の一方に円柱型シャッターピン、他方に平板型シャッターピンを該斜刃プラグ端子と同軸平行に左右外壁に収納、配設し、該シャッターピンは収納溝の後方に位置するピン回転軸を中心に概９０度回動して斜刃プラグ端子軸と垂直に突設可能に設けた斜刃プラグの斜刃プラグ端子を、プラグ本体下部であって、一対の可動プラグ端子と接続端子を介して導通している日本型コンセント及び斜刃コンセントに差込、斜刃プラグとプラグ本体を接続結合することを特徴とする請求項１ないし請求項２のいずれかに記載の海外コンセント用変換プラグ。
【請求項４】
可動プラグ端子の移動距離を規制するプラグ移動溝、及び回転ツマミ移動溝を設けたカバーをプラグ本体に覆設することを特徴とする請求項１ないし請求項３のいずれかに記載の海外コンセント用変換プラグ。  
【請求項５】
絶縁体からなるプラグ本体であって、該プラグ本体上部に回転軸に軸支した歯合、もしくは緊合する一対の同一直径の回転体で、該回転体の両回転軸心を結んだ水平線上で、該各回転軸に対して左右対称で同一距離に偏心した位置に、一体の棒状で一端を丸棒型プラグ端子、中間位置は抜止めストッパーを設けたストッパー付絶縁体を中実導電体に円周状に覆設し、他端は該丸棒型プラグ端子と同一長の斜刃プラグ端子で構成する一体型プラグ端子を挿脱可能に貫設し、回転ツマミを付設する回転体の回動により一対の該一体型プラグ端子がその偏心位置により端子間距離を伸縮することを特徴とする海外コンセント用変換プラグ。
【請求項６】
一対の回転体間の中間位置にスプリング固定軸を設けスプリングの一端を固定、該スプリングの中央コイル部を一対の回転軸に巻設し、他端を貫設した一対の一体型プラグ端子の円周片側に当着して設けて、該回転体の回動により一対の一体型プラグ端子間に付勢力を生じることを特徴とする請求項５に記載の海外コンセント用変換プラグ。
【請求項７】
プラグ本体下部に日本型コンセントを設け、該日本型コンセントの一対の電気端子は一対の接続端子を介して、上記一対の一体型プラグ端子と導通していることを特徴とする請求項５ないし請求項６のいずれかに記載の海外コンセント用変換プラグ。
【請求項８】
プラグ本体であって、該プラグ本体上部の一対の回転体の両回転軸の中心線の中間点の垂直線上で、該プラグ本体の上下外壁交点の一方に円柱型シャッターピン、他方に平板型シャッターピンを一体型プラグ端子軸に平行に上下外壁に収納、配設し、該シャッターピンは収納溝の前方に位置するピン回転軸を中心に概１８０度回動し一体型プラグ端子軸と平行に突設可能に設け、該両回転軸の中心線の中間点の垂直線上で、該プラグ本体の上、もしくは下外壁交点と、該中間点間で斜刃コンセントのシャッター位置に合致する位置に、単体である斜刃シャッターピンを収納可能な収納庫を穿設し、収納、もしくは１８０度反転させて、該収納庫の取付部に取付けて該斜刃シャッターピン端子を外側に突設することを特徴とする請求項５ないし請求項７にいずれかに記載の海外コンセント用変換プラグ。
【請求項９】
一体型プラグ端子の移動距離を規制するプラグ移動溝、及び回転ツマミ移動溝を設けたカバーをプラグ本体に覆設することを特徴とする請求項５ないし請求項８のいずれかに記載の海外コンセント用変換プラグ。
【発明の詳細な説明】
【技術分野】
【０００１】
本発明は、海外各国の各種タイプのコンセントに対応可能な海外コンセント用変換プラグに関する。
【背景技術】
【０００２】
海外各国におけるコンセントと、該コンセントに差し込むプラグの形状は、プラグ端子の直径、プラグ端子間の距離、及び端子の角度において種々に異なっている。
【０００３】
海外プラグの形状は大別して図１９に示す７種類に分類される。丸棒状をした一対の海外プラグ端子９０が海外プラグ１００の前端面接続部に左右に配置されているコンチネンタルタイプ（図１９（ａ））、丸棒状をした一対の海外プラグ端子９０が海外プラグ１００の前端接続部に配列され、円柱状をしたシャッターピン９１が海外プラグ１００の前端面上部に配列されている欧州共同体型（図１９（ｂ））、太い丸棒状をした一対の海外プラグ端子９０が海外プラグ１００の前端接続部に左右に並べて配列されている旧イギリスタイプ（図１９（ｃ））、丸棒状をした一対の海外プラグ端子９０が海外プラグ１００の前端接続部に左右に配列され、太い円柱状をしたシャッターピン９２が海外プラグ１００の前端接続部の下部に配列されている旧イギリスタイプ（図１９（ｄ））、帯板状をした一対の海外プラグ端子９０が海外プラグ１００の前端接続部の左右に配置され、長方形状のシャッターピン９３が海外プラグ１００の前端接続部の下部に配列されている新イギリスタイプ（図１９（ｅ））、帯板状をした一対の海外プラグ端子９０が海外プラグ１００の前端接続部の左右にハの字状に並べて配列され、帯板状をしたシャッターピン９４が海外プラグ１００の前端接続部の下部に縦に配列されているオセアニアタイプ（図１９（ｆ））、及び帯板状に一対の海外プラグ端子９０が海外プラグ１００の前端接続部の左右に並べて配列されているアメリカンタイプ（図１９（ｇ））に分類される（図１９）。
【０００４】
このうち、日本国内で用いられているものは、図１９（ｇ）に示したアメリカンタイプと呼ばれるものである。
【０００５】
種々の海外プラグでシャッターピンを有する図１９（ｂ）、（ｄ）、（ｅ）、（ｆ）については、接続するコンセントにシャッター（扉部材）が設けられており、該コンセントの一対のコンセント孔に内蔵された電源金具端子の開口部前面を不使用時は該シャッターにて塞いで感電防止を図っている。このタイプのコンセントではプラグに設けたシャッターピンを差し込むことにより、コンセントの一対の電源端子孔の開口部前端を塞いでいるシャッターを開口し、内蔵する一対の電源金具端子にプラグの一対のプラグ端子を差し込み可能にし導通する。
【０００６】
海外渡航時には、上記理由により日本製電気製品を使用する為には滞在国のコンセントに合致した各種の変換プラグを選択し所持しなければならなかったが、これらの課題を解決する為、例えば、Ｖ字型の形状で該Ｖ字型下部を回転軸として、回転軸に設けたスプリングの付勢力を利用して回動可能に連結して、Ｖ字型上辺付近に一対のプラグを設けて各プラグ間の距離を調整可能にし、各国コンセントに適用させるＶ字型プラグ（例えば、特許文献１参照）、又は一対のプラグ間にスプリングを設け、指にて其のプラグ間距離を調整できる平行移動型プラグ（例えば、特許文献２参照）等が提供されている。
【特許文献１】特開平９−２８９０６６号公開
【特許文献２】特開２００３−１４２２１６号公開
【発明の開示】
【発明が解決しようとする課題】
【０００７】
プラグとそれを差し込むコンセントのタイプが海外各国で異なり海外渡航時、日本製電気製品を各国で使用する為には、其の滞在国のコンセントに合致した変換プラグを所持しなくてはならず、複数の国に滞在する場合は,各々の国の変換プラグが必要であった。
【０００８】
これらの課題を解決する一方法としてＶ字型プラグ（特開平９−２８９０６６）があるが、該Ｖ字型プラグに設けられている日本型プラグを挿入する日本型コンセントはＶ字型の片一方の辺に一対のコンセントが付設されており、日本プラグを差し込む場合、斜めの状態で挿入することとなりノートパソコンに使用される電圧変換付プラグ、プラグ付シェーバ等重量のある電気製品を使用する場合は、プラグ端子に過大な偏荷重がかかり該プラグ端子が抜けたり、プラグ又は本体に損傷を与える危険性があった。
【０００９】
加えて、コンセントへの接続を確実にする為、Ｖ字型底部の回転軸にスプリングを設け、プラグ端子の外側、若しくは内側への付勢力を得ているが、長時間の使用でスプリングがへたり、開閉がスムーズに行かない、また、其の場合において構造上容易にスプリングを交換できないという問題の発生の可能性があった。
【００１０】
課題解決の他の方法として、平行移動型プラグ（特開２００３−１４２２１６）があるが、全体的に部品点数が多く、摺動部分の磨耗、電気導通部分の磨耗等による破損が懸念される。
【００１１】
Ｖ字型プラグ、平行移動型プラグ供、２本の指を用いてプラグ端子間距離を調整する方式であり、コンセントへの挿入、接続時にプラグを保持して正確に該コンセントの挿入する調節の操作が比較的し難いという難点があった。
【課題を解決するための手段】
【００１２】
本発明は、絶縁体からなるプラグ本体上部に回転軸ボルト、回転軸ブッシュより構成する回転軸で軸支された歯合、もしくは緊合する一対の同一直径の回転体で、該回転体の該両回転軸心を結んだ水平線上で、該各回転軸に対して左右対称の同一距離に偏心した位置に可動プラグ端子を貫設、固定し、回転体の回転により一対の該可動プラグ端子がその偏心位置に従って、該両可動プラグ端子間の距離が変化し、調整できる。一対の回転体は歯合、又は緊合しているため、片方の回転体を回動すると他方は同一距離だけ回動し、一対の可動プラグ端子は、該回転体の両回転軸心を結んだ水辺線と平行して該可動プラグ端子間距離を変化させて移動する。また、プラグ本体上部の両回転体間の中間位置にあるスプリング固定軸には、ハの字型巻バネの一端を固定、該巻バネ中心のコイル部を回転軸に巻設し、他端を貫設した可動プラグ端子の円周片側に当着して設ける。該巻バネの付勢力により回転体を回転ツマミで回動すると、一対の可動プラグ端子は移動し端子間距離が変化するが、回転ツマミを放すと、元の位置に戻る事ができる。可動プラグ端子の移動距離の制御はカバーに設けた可動プラグ端子移動溝の長さ、若しくは回転ツマミ移動溝の長さで規制される。なお両回転体の外周に合成ゴム等を覆設し該両回転体を緊合して、その間の摩擦力にて同期回転させても良い（図１、図２、図３、図４）。
【００１３】
可動プラグ本体下部には、日本製電気器具に付設されたプラグの一対のプラグ端子、又は／及びオセアニアタイプである斜刃プラグの一対の斜刃プラグ端子（ハの字型形状のプラグ端子）を差込む事ができる一対のコンセント電気端子を設け、該電気端子は一対の接続端子を介して、上記、一対の可動プラグ端子と導通している（図４、図５）。  
【００１４】
欧州共同体型、旧イギリスタイプ、新イギリスタイプのシャッター付コンセントに対応する為、本発明では公知技術であるオセアニアタイプ―日本型コンセントの変換プラグである斜刃プラグを利用し、該斜刃プラグの一対の斜刃プラグ端子の中心線上と該斜刃プラグ本体の外壁交点付近の一方に円柱形シャッターピン、他方に平板型シャッターピンを該斜刃プラグ端子と平行に左右外壁の収納溝に収納可能に設ける。該円柱型シャッターピン、平板型シャッターピンは、収納溝下方に設けたピン回転軸を中心に、概９０度回動できる。シャッターピン不使用時は、該シャッターピンを備えた斜刃プラグの紛失等を防ぐ為、一対の斜刃プラグ端子を移動プラグの一対のコンセント電気端子に差込み、結合して用い、その場合、該シャッターピンは斜刃プラグ端子と平行に斜刃プラグ外壁にある収納溝に収納して用いる。使用時は、移動プラグ本体のコンセント部より斜刃プラグを抜き、移動プラグより分離して必要なシャッターピンをピン回転軸を中心に右外側、若しくは左外側に概９０度回動、突設して、該シャッターピンを相手方コンセントのシャッター部に挿入して使用する（図６、図７）。
【００１５】
オセアニアタイプのシャッター付コンセントに対応する為、汎用されている斜刃プラグとして用いる場合、移動プラグ本体のコンセント部より、斜刃プラグを抜き移動プラグより分離し、斜刃プラグ端子の中心線の両斜刃プラグ端子中間点に垂直線上でオセアニアタイプのシャッター位置と合致する位置である斜刃プラグ外壁に、斜刃シャッターピン収納溝を設け、斜刃シャッターピンを収納する。該斜刃シャッターピンは斜刃シャッターピン収納溝の前端部に設けたピン回転軸を中心に概１８０度回動し、使用時には収納溝より前方に概１８０度回動して、斜刃プラグ端子と平行位置に突設して、相手方コンセントに挿入して使用する。斜刃プラグで斜刃プラグ端子の反対側面には、日本型コンセントを設け、一対の日本型電気端子は一対の斜刃プラグ端子と導通している（図８、図９）。
【００１６】
本発明の、回転体の回転軸に偏心して貫設したプラグ端子間の距離の移動を利用した移動プラグ機構を応用した他の方法を下記する。
【００１７】
丸棒型可動プラグ端子と斜刃プラグ端子の相手方コンセントへの差込長が同一長さであることを利用して、棒状で一端を丸棒型可動プラグとし、他端を同一長の斜刃プラグ端子とした一体型プラグ端子を構成する。該一体型プラグ端子の中間位置には、抜け止め防止のストッパーを有するストッパー付絶縁体を円周状に覆設し、該ストッパーつき絶縁体部分を、可動プラグの円柱体に挿脱可能に貫設する。該丸棒型可動プラグ端子と該斜刃プラグ端子は電気的に導通しており、丸棒型コンセントを使用するときは丸棒型可動プラグ端子を、斜刃コンセントを使用するときは斜刃プラグ端子を外側上方に突設して使用する（図１２、図１４、図１５）。
【００１８】
絶縁体からなるプラグ本体上部に回転軸ボルト、回転軸ブッシュより構成する回転軸で軸支された歯合、もしくは緊合する一対の同一直径の回転体で、該回転体の該両回転軸心を結んだ水平線上で、該各回転軸に対して左右対称の同一距離に偏心した位置に一体型プラグ端子を挿脱可能に貫設し、回転体の回転により一対の該一体型プラグ端子がその偏心位置に従って、該両一体型プラグ端子間の距離が変化し、調整できる。一対の回転体は歯合、又は緊合しているため、片方の回転体を回動すると他方は同一距離だけ回動し、一対の一体型プラグ端子は、該回転体の両回転軸心を結んだ水辺線と平行して該一体型プラグ端子間距離を変化させて移動する。また、プラグ本体上部の両回転体間の中間位置にあるスプリング固定軸には、ハの字型巻バネの一端を固定、該巻バネ中心のコイル部を回転軸に巻設し、他端を貫設した一体型プラグ端子の円周片側に当着して設ける。該巻バネの付勢力により回転体を回転ツマミで回動すると、一対の一体型プラグ端子は移動し端子間距離が変化するが、回転ツマミを放すと、元の位置に戻る事ができる。一体型プラグ端子の移動距離の制御はカバーに設けた可動プラグ端子移動溝の長さ、若しくは回転ツマミ移動溝の長さで規制される。なお両回転体の外周に合成ゴム等を覆設し該両回転体を緊合して、その間の摩擦力にて同期回転させても良い（図１２、図１３、図１４、図１５）。
【００１９】
一体型プラグ本体下部には、日本製電気器具に付設されたプラグの一対のプラグ端子を差込む事ができる一対のコンセント電気端子を設け、該電気端子は一対の接続端子を介して、上記、一対の一体型プラグ端子と導通している（図１４、図１５）。  
【００２０】
欧州共同体型、旧イギリスタイプ、新イギリスタイプのシャッター付コンセントに対応する為、一対の回転体の両回転軸の中心線上の中間点の垂直線上でコンセントのシャッター位置と一致した、該可動プラグ本体の上下外壁交点付近の一方に円柱形シャッターピン、他方に平板型シャッターピンを該一体プラグ端子と平行に外壁の収納溝に収納可能に設ける。該円柱型シャッターピン、平板型シャッターピンは、収納溝左方に設けたピン回転軸を中心に、概１８０度回動できる。シャッターピン不使用時はシャッターピンは一体型プラグ端子と平行に移動プラグ本体外壁にある収納溝に収納して用いる。使用時は、必要なシャッターピンをピン回転軸を中心に左外側に概１８０度回動、突設して、該シャッターピン及び一体型プラグ端子を相手方コンセントのシャッター部、電気端子部に挿入して使用する（図１６）。
【００２１】
オセアニアタイプのシャッター付コンセントに対応する為、一体型プラグ端子の斜刃プラグ端子側を外側に突設する。斜刃シャッターピンについては、取付部と平板型のシャッターピンで構成される斜刃シャッターピンを、両回転体の一対の回転軸間の中間垂直線上に斜刃コンセントのシャッター位置と合致する位置に該シャッターピンを着脱可能な斜刃シャッターピン格納庫を設け、使用時には斜刃シャッターピンを外側に突設し、取付部を該斜刃シャッターピン格納庫に挿入固定する。不使用時は、斜刃シャッターピンを反転して、該斜刃シャッターピン格納庫に収納して保管する（図１３、図１６）。
【００２２】
一体型プラグ本体下部には、日本製電気器具に付設されたプラグの一対のプラグ端子、を差込む事ができる一対のコンセント電気端子を設け、該電気端子は一対の接続端子を介して、上記、一対の一体型プラグ端子と導通している（図１４、図１５）。  
【発明の効果】
【００２３】
回転軸より偏心した一対のプラグ端子間の距離を調整、変化させる可動プラグ、及び丸棒型、平板型、及び斜刃型シャッターピンを備える斜刃プラグの組合せにより、ほぼ全世界のコンセントに接続可能となり、日本製電気製品の海外での使用が可能である。
【００２４】
回転軸で軸支されている一対の回転体は互いに歯合、又は緊合しているため、一方の回転体の回転ツマミを回動させると他の回転体もそれに調和して同距離だけ回動するため、一本の指で可動プラグ端子間距離を容易に調整でき、プラグ全体の保持が安定しており安全性が高い。
【００２５】
可動プラグの他端に設けた日本側コンセントの位置は一対の可動プラグ端子と平行同軸上にあり、ノートパソコンに使用される電圧変換付プラグ、プラグ付シェーバ等重量のある電気製品を使用しる場合、可動プラグ端子に偏荷重がかかることは無く該可動プラグ端子が抜けたり、本体の損傷を与えることはない。
【００２６】
一対の回転体に付勢力を与える巻きバネは、構造が簡単でカバーを取外して容易に交換可能であり、スプリングがへたったとしても簡単に交換して対処する事ができる。
【００２７】
一体型プラグ端子は、丸棒型プラグ端子と斜刃プラグ端子が一体化しており、また丸棒型シャッターピン，平板型シャッターピン及び斜刃シャッターピンを全て一体型プラグに備えている為、該一体型プラグ単体で、ほぼ全世界のコンセントに対応できる。斜刃プラグも該一体型プラグに含まれているので、斜刃プラグのみを分離することは出来ず、斜刃プラグ単体の紛失等により欧州共同体型、旧イギリスタイプ、新イギリスタイプ、及びオセアニアタイプのシャッターピンが必要なコンセントに使用不能になることを防ぐ事ができる。
【００２８】
一体型プラグにおいて回転軸より偏心した一対の一体型プラグ端子間の距離を調整、変化させる一体型プラグ端子、及び丸棒型、平板型、及び斜刃型シャッターピンを備えており、ほぼ全世界のコンセントに接続可能となり、日本製電気製品の海外での使用が可能である。
【００２９】
一体型プラグにおいて回転軸で軸支されている一対の回転体は互いに歯合、又は緊合しているため、一方の回転体の回転ツマミを回動させると他の回転体もそれに調和して同距離だけ回動するため、一本の指で一体型プラグ端子間距離を容易に調整でき、プラグ全体の保持が安定しており安全性が高い。
【００３０】
一体型プラグ端子の他端に設けた日本側コンセントの位置は一対の該一体型プラグ端子と平行同軸上にあり、ノートパソコンに使用される電圧変換付プラグ、プラグ付シェーバ等重量のある電気製品を使用しる場合、該一体型プラグ端子に偏荷重がかかることは無く該一体型プラグ端子が抜けたり、本体の損傷を与えることはない。
【００３１】
一体型プラグにおける、一対の回転体に付勢力を与える巻きバネは、構造が簡単でカバーを取外して容易に交換可能であり、スプリングがへたったとしても簡単に交換して対処する事ができる。
【発明を実施するための最良の形態】
【００３２】
本発明の絶縁体からなる可動プラグａ１と斜刃プラグ２０を接続、結合した状態図を図１に示す。可動プラグａ本体２上部に回転軸ボルト１５、回転軸ブッシュ１６で構成する回転軸４で軸支された歯合する一対の同一直径で外周に歯車１４を有する回転体５で、該回転体５の該両回転軸心を結んだ水平線上で、該各回転軸４に対して左右対称の同一距離に偏心した位置に一対の可動プラグ端子３の電気接続端子側を外側上面に突設して、貫設、固定し、回転体５の回転Ｒにより一対の該可動プラグ端子３がその偏心位置に従って、該両可動プラグ端子３間の距離が変化し、調整できる。一対の歯車１４を有する回転体５は歯合しているため、両方の回転体５に付設する一方の回転ツマミ６を回動すると他方は同一距離だけ回動し、一対の可動プラグ端子３は、該回転体５の両回転軸心を結んだ水辺線と平行して該可動プラグ端子３間距離をαからβに変化させて移動する。なお両回転体の外周に合成ゴム等を覆設し該両回転体を緊合して、その間の摩擦力にて同期回転させても良い（図１、図２、図３）。
【００３３】
一対の可動プラグ端子３が確実に相手コンセントに挿入、接続、固定する為には、ある程度の両可動プラグ端子間の引張力、若しくは圧縮力が必要であるが、このため移動プラグａ本体２上部の両回転体５間の中間位置にあるスプリング固定軸１２には、ハの字型巻バネ１１の一端を固定、該巻バネ中心のコイル部を回転軸４に巻設し、他端を貫設した可動プラグ端子３の可動プラグａ本体２の突設部に円周状に覆説した円周絶縁体１３の円周片側に当着して設ける。該巻バネ１１の付勢力により回転体５を回転ツマミ６で回動すると、一対の可動プラグ端子３は移動し端子間距離が変化するが、回転ツマミ６を放すと、元の位置に戻る事ができる。可動プラグ端子３の移動距離の制御はカバー７に設けた円周状の可動プラグ端子移動溝８の長さ、若しくは回転ツマミ移動溝９の長さで規制される（図１、図２、図３、図４）。
【００３４】
可動プラグａ本体２の上端面に突設した一対の可動プラグ端子３の反対側下端面は一対の日本型プラグ端子２５、若しくは斜刃プラグ端子２１を差込み可能な日本型又は／及び斜刃プラグ用コンセント１０に内設する一対のコンセント電気端子１８を設ける。該コンセント電気端子１８は、一対の接続端子１７を介して一対の可動プラグ端子３と導通している。接続端子１７は、板バネ等を用い可動プラグ端子３が移動する場合も確実に導通を確保する（図４、図５）。
【００３５】
シャッターピンを使用しない場合は、一対のコンセント電気端子１８に斜刃プラグ２０の斜刃プラグ端子２１を挿入して、該斜刃プラグ２０を可動プラグａ１に接続、結合する。斜刃プラグ２０には円柱型シャッターピン２２、平板型シャッターピン２３、及び斜刃用シャッターピン２４を付設してあり、欧州共同体型、旧イギリスタイプ、新イギリスタイプ、及びオセアニアタイプのシャッターピンが必要なコンセントを使用する場合は、該斜刃プラグ２０を可動プラグａ１より抜いて分離し必要なシャッターピンを用いて使用する（図１、図２）。
【００３６】
斜刃プラグ２０のシャッターピンの付設構造は、該斜刃プラグ２０の一対の斜刃プラグ端子２１の中心線上と該斜刃プラグ本体２６の外壁交点付近の一方に円柱形シャッターピン２２、他方に平板型シャッターピン２３を該斜刃プラグ端子２１と平行に左右外壁の収納溝２７に収納可能に設ける。該円柱型シャッターピン２２、平板型シャッターピン２３は、収納溝２７下方に設けたピン回転軸２９を中心に、概９０度回動できる。シャッターピン不使用時は、該シャッターピンを備えた斜刃プラグ２０の紛失等を防ぐ為、一対の斜刃プラグ端子２１を移動プラグａ１の一対のコンセント電気端子１８に差込み、結合して用い、その場合、該シャッターピンは斜刃プラグ端子２１と平行に斜刃プラグ２０外壁にある収納溝２７に収納して用いる。使用時は、移動プラグａ本体２のコンセント部より、斜刃プラグ２０を抜き、移動プラグａ１より分離して、必要なシャッターピンをピン回転軸２９を中心に右外側、若しくは左外側Ｚ方向に概９０度回動、突設して、該シャッターピンを相手方コンセントのシャッター部に挿入して使用する（図６、図７）。
【００３７】
オセアニアタイプのシャッター付コンセントに対応する為、汎用されている斜刃プラグとして用いる場合、移動プラグａ本体２のコンセント部より、斜刃プラグ２０を抜き移動プラグａ１より分離し、斜刃プラグ端子２１の中心線の両斜刃プラグ端子２１中間点に垂直線上でオセアニアタイプのシャッター位置と合致する位置である斜刃プラグ２０外壁に、斜刃シャッターピン収納溝２７を設け、斜刃用シャッターピンａ２４を収納する。該斜刃用シャッターピンａ２４は斜刃シャッターピン収納溝２７の前端部に設けたピン回転軸２９を中心に概１８０度Ｍ方向に回動し収納し、使用時には収納溝２７より前方Ｓに概１８０度回動して、斜刃プラグ端子２１と平行位置に突設して、相手方コンセントに挿入して使用する。斜刃プラグ２０で斜刃プラグ端子２１の反対側面には、日本型コンセント３１を設け、一対の日本型電気端子３２は一対の斜刃プラグ端子２１と導通し日本製電気製品の日本型プラグを挿入接続可能にしている（図７、図８、図９）。
【００３８】
可動プラグａ１にカバー７を覆設し、斜刃プラグ２０を接続結合した全体状態図を図１０、図１１に示す（図１０、図１１）。
【００３９】
本発明の、回転体の回転軸に偏心して貫設したプラグ端子間の距離の移動を利用した移動プラグ機構を応用した他の方法を下記する。
【００４０】
丸棒型可動プラグ端子と斜刃プラグ端子の相手方コンセントへの差込長が同一長さであることを利用して、棒状で一端を丸棒型可動プラグ４２とし、他端を同一長の斜刃プラグ端子ａ４３とした一体型プラグ端子４１を構成する。該一体型プラグ端子４１の中間位置には、抜け止め防止のストッパーを有するストッパー付絶縁体４４を円周状に覆設し、該ストッパー付絶縁体４４部分を、可動プラグｂ４０の円柱体５に挿脱可能に貫設する。該丸棒型可動プラグ端子４２と該斜刃プラグ端子４３は電気的に導通しており、丸棒型コンセントを使用するときは丸棒型可動プラグ端子４２を、斜刃コンセントを使用するときは斜刃プラグ端子４３を外側上方に突設して使用する。なお、ストッパー付絶縁体４４での一体型プラグ端子４１の可動プラグｂ本体４６からの抜け防止方法は、抜け止めピン等を用いた他の方法でも良い（図１２、図１４、図１５、図１８）。
【００４１】
絶縁体からなる可動プラグｂ本体４５上部に回転軸ボルト１５、回転軸ブッシュ１６より構成する回転軸４で軸支された歯合する一対の同一直径で外周に歯車１４を有する回転体５で、該回転体５の該両回転軸心を結んだ水平線上で、該各回転軸４に対して左右対称の同一距離に偏心した位置に一体型プラグ端子４１を挿脱可能に貫設し、回転体５の回転により一対の該一体型プラグ端子４１がその偏心位置に従って、該両一体型プラグ端子４１間の距離が変化し、調整できる。一対の回転体５は歯合しているため、片方の回転体５を回動すると他方は同一距離だけ回動し、一対の一体型プラグ端子４１は、該回転体５の両回転軸心を結んだ水辺線と平行して該一体型プラグ端子４１間距離を変化させて移動する。また、可動プラグｂ本体４５上部の両回転体５間の中間位置にあるスプリング固定軸１２には、ハの字型巻バネ１１の一端を固定、該巻バネ１１中心のコイル部を回転軸４に巻設し、他端を貫設した一体型プラグ端子４１のストッパー付絶縁体４４の円周片側に当着して設ける。該巻バネ１１の付勢力により回転体５を回転ツマミ６で回動すると、一対の一体型プラグ端子４１は移動し端子間距離が変化するが、回転ツマミ６を放すと、元の位置に戻る事ができる。一体型プラグ端子４１の移動距離の制御はカバー７に設けた可動プラグ端子移動溝８の長さ、若しくは回転ツマミ移動溝９の長さで規制される。なお両回転体の外周に合成ゴム等を覆設し該両回転体を緊合して、その間の摩擦力にて同期回転させても良い（図１２、図１３、図１４、図１５）。
【００４２】
可動プラグｂ本体４５下部には、日本製電気器具に付設されたプラグの一対のプラグ端子を差込む事ができる一対のコンセント電気端子１８を設け、該電気端子は一対の接続端子１７を介して、上記、一対の一体型プラグ端子４１と導通している。接続端子１７は、板バネ等を用い一体プラグ端子４１が移動する場合も確実に導通を確保する（図１４、図１５）。  
【００４３】
欧州共同体型、旧イギリスタイプ、新イギリスタイプのシャッター付コンセントに対応する為、一対の回転体５の両回転軸４の中心線上の中間点の垂直線上で相手コンセントのシャッター位置と一致した、該可動プラグｂ本体４５の上下外壁交点付近の一方に円柱形シャッターピン２２、他方に平板型シャッターピン２３を該一体プラグ端子４１軸と平行に外壁のシャッターピン収納溝４６を収納可能に設ける。該円柱型シャッターピン２２、平板型シャッターピン２３は、収納溝４６左方に設けたシャッターピン回転軸４８を中心にＥ方向、若しくはＦ方向に概１８０度回動できる。シャッターピン不使用時はシャッターピンは一体型プラグ端子４１と平行に移動プラグｂ本体４５外壁にあるシャッターピン収納溝４６に収納して用いる。使用時は、必要なシャッターピンをピン回転軸４８を中心にＥ方向の左外側に概１８０度回動、突設して、該シャッターピン及び一体型プラグ端子４１を相手方コンセントのシャッター部、電気端子部に挿入して使用する（図１６）。
【００４４】
オセアニアタイプのシャッター付コンセントに対応する為、一体型プラグ端子４１の斜刃プラグ端子ａ４３側を外側に突設する。斜刃シャッターピンｂ４９については、斜刃シャッターピン側取付部５１と平板型の斜刃シャッターピン端子５０で構成される斜刃シャッターピンｂ４９を、両回転体５の一対の回転軸４間の中間垂直線上に斜刃コンセントのシャッター位置と合致する位置に該シャッターピンｂ４９の着脱可能な斜刃シャッターピン格納庫５２を設け、使用時には斜刃シャッターピンｂ４９を外側に突設し、斜刃シャッターピン側取付部５１を該斜刃シャッターピン格納庫５２の斜刃シャッターピン格納庫側取付部５３に挿入固定する。不使用時は、斜刃シャッターピンｂ４９を反転して、該斜刃シャッターピン格納庫５２に収納して保管する（図１３、図１６、図１８）。
【００４５】
稼動プラグｂ本体４５下部には、日本製電気器具に付設されたプラグの一対のプラグ端子を差込む事ができる一対の日本型コンセント電気端子３２を設け、該電気端子３２は一対の接続端子１７を介して、上記、一対の一体型プラグ端子４１と導通している（図１４、図１５、図１６、図１７）。  
【実施例１】
【００４６】
幅３８ｍｍ、高さ２０ｍｍ、長さ６１ｍｍの稼動プラグａ１で、直径概４ｍｍφの可動プラグ端子３が、１５ｍｍから２６ｍｍのプラグ端子間距離に可動できるように、カバー７の可動プラグ端子移動溝８で規制することにより、コンチネンタルタイプ、旧イギリスタイプ（図１９（ａ）、（ｃ））のコンセントに可動プラグ端子３を回転ツマミ６の回動で移動させて挿入可能となり、可動プラグ端子３は巻きバネ１１による付勢力により、相手コンセントに確実に接続、固定できた（図１９、図２０、図２１）。
【００４７】
幅４４ｍｍ、高さ２８．５ｍｍ、長さ２５ｍｍの斜刃プラグ２０は、通常は可動プラグａ１に接続結合しているが、欧州共同体、旧イギリスタイプ（図１９（ｂ）、（ｄ））のコンセントに使用する場合は、該斜刃プラグ２０を可動プラグａ１より抜いて、斜刃プラグ２０の片側端面に収納してある直径７ｍｍφ、長さ２８ｍｍの円柱型シャッターピン２２を外側に概９０度回動、突設して欧州共同体、旧イギリスタイプ（図１９（ｂ）、（ｄ））のシャッター孔に挿入した。その後、可動プラグ端子３をコンセント孔間の距離に合致するように調節し挿入することにより円柱型シャッター付きコンセントに対応できた。また、新イギリスタイプ（図１９（ｅ））のコンセントの場合、斜刃プラグ２０の、他の片側端面に収納してある幅４ｍｍ、高さ８ｍｍ、長さ３０ｍｍの平板型シャッターピン２３を外側に概９０度回動、突設して新イギリスタイプ（図１９（ｅ））のシャッター孔に挿入し、その後可動プラグ端子３をコンセント孔間の距離に合致するように調節し挿入することにより平板型シャッター付きコンセントに対応できた（図１９、図２０、図２１）。
【００４８】
オセアニアタイプ（ず１９（ｆ））の斜刃コンセント＋シャッターへの対応は、通常、可動プラグａ１に接続結合している斜刃プラグ２０を可動プラグａ１より引抜き分離して、該斜刃プラグ２０の上部収納溝２７に収納している幅１．５ｍｍ、高さ５．５ｍｍ、長さ２０ｍｍの斜刃用シャッターピン２４を、概１８０度回動して斜刃プラグ端子２１と平行に突設して、オセアニアタイプ（図１９（ｆ））に挿入する事ができた（図１９、図２０、図２１）。
【実施例２】
【００４９】
棒状の一体型プラグ端子４１は、一端が直径概４ｍｍφ、長さ１７ｍｍの丸棒型プラグ端子４２と、中間位置に直径概６ｍｍφ、長さ１３．５ｍｍの抜け止めストッパーを有する中実導電体を円周状に覆説したストッパー付絶縁体４４と、他端に幅１．５ｍｍ、高さ７ｍｍ、長さ１７ｍｍで刃の字型形状をして６０度傾斜の斜刃プラグ端子４３より構成する。該一体プラグ端子４１は、可動プラグｂ４０の一端面に一対の回転軸４に軸支された一対の回転体５の両回転軸４より同一距離偏心した位置に挿脱可能に貫設する（図２２、図２３）。
【００５０】
幅３８ｍｍ、高さ４５ｍｍ、長さ４６．５ｍｍの稼動プラグｂ４０で、一体型プラグ端子４１の直径概４ｍｍφの丸棒型プラグ端子４２を外側に突設し、１５ｍｍから２６ｍｍのプラグ端子間距離に可動できるように、カバー７の可動プラグ端子移動溝８で規制することにより、コンチネンタルタイプ、旧イギリスタイプ（図１９（ａ）、（ｃ））のコンセントに一体型プラグ端子４１を回転ツマミ６の回動で移動させて調製、挿入可能となり、該一体型プラグ端子４１は巻きバネ１１による付勢力により、相手コンセントに確実に接続、固定できた（図１９、図２３）。
【００５１】
欧州共同体、旧イギリスタイプ（図１９（ｂ）、（ｄ））のコンセントに使用する場合は、直径概４ｍｍφの丸棒型プラグ端子４２を外側に突設し、可動プラグｂ４０の外側面の一方に設けて収納してある直径７ｍｍφ、長さ２８ｍｍの円形型シャッターピン２２を外側に概１８０度回動、丸棒型プラグ端子４２と同軸並行に突設して、コンセントに挿入することにより欧州共同体、旧イギリスタイプ（図１９（ｂ）、（ｄ））に用いる事が出来た。また、新イギリスタイプ（図１９（ｅ））のコンセントの場合、可動プラグｂ４０の、他の片側端面に収納してある幅４ｍｍ、高さ８ｍｍ、長さ３０ｍｍの平板型シャッターピン２３を外側に概１８０度回動、突設し、丸棒型プラグ４２と平板型シャッターピン２３を同一方向に突設して、新イギリスタイプ（図１９（ｅ））のシャッター孔に挿入して使用する事ができた（図１６、図２３）。
【００５２】
オセアニアタイプ（図１９（ｆ））の斜刃コンセント＋シャッターへの対応は、一体型プラグ端子４１の幅１．５ｍｍ、高さ５．５ｍｍ、長さ１７ｍｍでハの字型形状をして６０度傾斜の斜刃プラグ端子ａ４３側を外側に突設し、且つ斜刃シャッターピン格納庫５２に収納された斜刃シャッターピンｂ４９を引抜き、該斜刃シャッターピンｂ４９の斜刃シャッターピン端子５０が外側に突設するように斜刃シャッターピン取付部５１を斜刃シャッターピン格納庫側取付部５３に収納，固定して、斜刃プラグ端子ａ４３と斜刃シャッターピンｂ４９を同一方向に突設することによりオセアニアタイプの斜刃コンセント＋シャッター付に用いる事が出来た（図１６、図２３）。
【図面の簡単な説明】
【００５３】
【図１】可動プラグａと斜刃プラグが接続結合した全体状態斜視図
【図２】可動プラグａと斜刃プラグが分離した全体状態斜視図
【図３】可動プラグａの可動プラグ端子移動構造正面図
【図４】可動プラグａ  Ａ−Ａ断面図
【図５】可動プラグａ背面図
【図６】斜刃プラグ正面図
【図７】斜刃プラグＢ−Ｂ断面図
【図８】斜刃プラグ側面図
【図９】斜刃プラグ背面図
【図１０】可動プラグａにカバーを覆設し、斜刃プラグを接続結合した正面図
【図１１】可動プラグａにカバーを覆設し、斜刃プラグを接続したＦ−Ｆ断面図
【図１２】可動プラグｂの全体状態斜視図
【図１３】可動プラグｂの可動プラグ端子の可動原理を示した構造正面図
【図１４】可動プラグｂで丸棒型プラグ端子使用時のＣ−Ｃ断面図
【図１５】可動プラグｂで斜刃プラグ端子ａ使用時のＣ−Ｃ断面図
【図１６】可動プラグｂのＤ−Ｄ断面図
【図１７】可動プラグｂ背面図
【図１８】（ａ）一体型プラグ              （ｂ）斜刃シャッターピンｂ
【図１９】海外プラグ              （ａ）コンチネンタルタイプ              （ｂ）欧州共同体型              （ｃ）旧イギリスタイプ              （ｄ）旧イギリスタイプ              （ｅ）新イギリスタイプ              （ｆ）オセアニアタイプ              （ｇ）アメリカンタイプ
【図２０】実施例１の正面寸法図
【図２１】実施例１の断面寸法図
【図２２】実施例２の一体型プラグ寸法図
【図２３】実施例２の断面寸法図
【符号の説明】
【００５４】
１  可動プラグａ
２  可動プラグａ本体
３  可動プラグ端子
４  回転軸
５  回転体
６  回転ツマミ
７  カバー
８  可動プラグ端子移動溝
９  回転ツマミ移動溝
１０  日本型又は／及び斜刃プラグ用コンセント
１１  巻バネ
１２  スプリング固定軸
１３  円環絶縁体
１４  歯車
１５  回転軸ボルト
１６  回転軸ブッシュ
１７  接続端子
１８  コンセント電気端子  
２０  斜刃プラグ
２１  斜刃プラグ端子
２２  円柱型シャッターピン
２３  平板型シャッターピン
２４  斜刃用シャッターピンａ
２５  日本型プラグ端子
２６  斜刃プラグ本体
２７  収納溝
２９  ピン回転軸
３１  日本型コンセント
３２  日本型コンセント電気端子
４０  可動プラグｂ
４１  一体型プラグ端子
４２  丸棒型プラグ端子
４３  斜刃プラグ端子ａ
４４  ストッパー付絶縁体
４５  可動プラグｂ本体
４６  シャッターピン収納溝     
４８  シャッターピン回転軸
４９  斜刃シャッターピンｂ  
５０  斜刃シャッターピン端子
５１  斜刃シャッターピン側取付部
５２  斜刃シャッターピン格納庫
５３  斜刃シャッターピン格納庫側取付部
９０  海外プラグ端子
９１  欧州共同体型シャッターピン
９２  旧イギリスタイプシャッターピン
９３  新イギリスタイプシャッターピン
９４  オセアニアタイプシャッターピン
１００  海外プラグ
【図１】
2008198498.tif 000003
【図２】
2008198498.tif 000004
【図３】
2008198498.tif 000005
【図４】
2008198498.tif 000006
【図５】
2008198498.tif 000007
【図６】
2008198498.tif 000008
【図７】
2008198498.tif 000009
【図８】
2008198498.tif 000010
【図９】
2008198498.tif 000011
【図１０】
2008198498.tif 000012
【図１１】
2008198498.tif 000013
【図１２】
2008198498.tif 000014
【図１３】
2008198498.tif 000015
【図１４】
2008198498.tif 000016
【図１５】
2008198498.tif 000017
【図１６】
2008198498.tif 000018
【図１７】
2008198498.tif 000019
【図１８】
2008198498.tif 000020
【図１９】
2008198498.tif 000021
【図２０】
2008198498.tif 000022
【図２１】
2008198498.tif 000023
【図２２】
2008198498.tif 000024
【図２３】
2008198498.tif 000025